(57)【要約】【課題】容量などの面で過度の負担をかけず、撮影した画像を利用者が容易に把握できるように、画面上に表示することができるＡＶ装置を提供することを課題とする。【解決手段】あらかじめＡＶ装置に組み込まれている番組表を表示するためのセルを利用して、撮影画像を、利用者が容易に把握できるように一覧表示するＡＶ装置を提供する。  また、画面上に表示された画像を利用者が容易に把握できるように、撮影画像に含まれているＥｘｉｆ情報を、撮影画像と共に画面上で一覧表示できるＡＶ装置を提供する。【選択図】          図１３
2009034941.tif 000002
【特許請求の範囲】
【請求項１】
電子番組表用の行列型のセルを生成するための情報である番組表セル生成情報を保持する番組表セル生成情報保持部と、
映像情報を取り込むための映像情報取込部と、
取り込んだ映像情報を番組表セル生成情報を利用して表示する表示部と、
を有するＡＶ装置。
【請求項２】
取り込んだ映像情報がＥｘｉｆファイル形式の情報か判断する判断部を有し、
表示部は、
判断結果がＥｘｉｆファイル形式であるとの判断結果である場合にはその映像情報に含まれている静止画と、その静止画に関する属性情報とを同じ行又は列のセルに配置して表示するＥｘｉｆ配置表示手段を有する請求項１に記載のＡＶ装置。
【請求項３】
表示部は、Ｅｘｉｆファイルに含まれている属性に応じて、静止画とその静止画に関する属性情報とをＥｘｉｆ配置表示手段に配置させる配置制御手段を有する請求項２に記載のＡＶ装置。
【請求項４】
Ｅｘｉｆファイルに代えて動画ファイルとする請求項２又は３に記載のＡＶ装置。
【請求項５】
番組表セルのスクロールを制御するためのスクロール制御部と、
映像を含むセルのスクロールの入力を受付けるスクロール受付部と
を有し、
スクロール制御部は、スクロール受付部にて受付けられる映像を含むセルのスクロールの入力にも基づいて映像を含むセルのスクロールを制御する請求項１から４のいずれか一に記載のＡＶ装置。
【請求項６】
表示部は、
判断結果がＥｘｉｆファイル形式であるとの判断結果である場合にはその映像情報に含まれているサムネイルをセルに配置して表示するサムネイル表示手段を有する請求項２に記載のＡＶ装置。
【請求項７】
映像ビューア用の行列型のセルを生成するための情報である映像ビューア用セル生成情報を保持する映像ビューア用セル生成情報保持部と、
ＥＰＧの番組情報を取得する番組情報取得部と、
取得した番組情報を映像ビューア用セル生成情報を利用して表示する表示部と、
を有するＡＶ装置。
【請求項８】
カラー写真表示用色データを保持する色データ保持部を有し、
映像ビューア用セル生成情報は、各セルにて色データ保持部に保持されているカラー写真表示用色データを利用可能に構成されている請求項７に記載のＡＶ装置。
【請求項９】
電子番組表用の行列型のセルを生成するための情報である番組表セル生成情報を保持するＡＶ装置の制御方法であって、
映像情報を取り込むための映像情報取込ステップと、
取り込んだ映像情報を番組表セル生成情報を利用して表示する表示ステップと、
を有するＡＶ装置の制御方法。
【請求項１０】
請求項９に記載のＡＶ装置の制御方法であって、
取り込んだ映像情報がＥｘｉｆファイル形式の情報か判断する判断ステップを有し、
表示ステップでは、
判断結果がＥｘｉｆファイル形式であるとの判断結果である場合にはその映像情報に含まれている静止画と、その静止画に関する属性情報とを同じ行又は列のセルに配置して表示するＥｘｉｆ配置表示サブステップを有するＡＶ装置の制御方法。
【請求項１１】
請求項１０に記載のＡＶ装置の制御方法であって、  
表示ステップは、Ｅｘｉｆファイルに含まれている属性に応じて、静止画とその静止画に関する属性情報とをＥｘｉｆ配置表示サブステップで配置させる配置制御サブステップを有するＡＶ装置の制御方法。
【請求項１２】
請求項１０又は１１に記載のＡＶ装置の制御方法であって、
Ｅｘｉｆファイルに代えて動画ファイルとするＡＶ装置の制御方法。
【請求項１３】
請求項９から１２のいずれか一に記載のＡＶ装置の制御方法であって、
番組表セルのスクロールを制御するためのスクロール制御ステップと、
映像を含むセルのスクロールの入力を受付けるスクロール受付ステップと
を有し、
スクロール制御ステップは、スクロール受付ステップにて受付けられる映像を含むセルのスクロールの入力にも基づいて映像を含むセルのスクロールを制御するＡＶ装置の制御方法。
【請求項１４】
請求項１０に記載のＡＶ装置の制御方法であって、
表示ステップは、判断結果がＥｘｉｆファイル形式であるとの判断結果である場合にはその映像情報に含まれているサムネイルをセルに配置して表示するサムネイル表示サブステップを有するＡＶ装置の制御方法。
【請求項１５】
映像ビューア用の行列型のセルを生成するための情報である映像ビューア用セル生成情報を保持するＡＶ装置の制御方法であって、
ＥＰＧの番組情報を取得する番組情報取得ステップと、
取得した番組情報を映像ビューア用セル生成情報を利用して表示する表示ステップと、
を有するＡＶ装置の制御方法。
【請求項１６】
カラー写真表示用色データを保持する請求項１５に記載のＡＶ装置の制御方法であって、
映像ビューア用セル生成情報は、各セルにて保持されているカラー写真表示用色データを利用可能に構成されているＡＶ装置の制御方法。
【発明の詳細な説明】
【技術分野】
【０００１】
本発明は、デジタルカメラや各種のメモリーカード、その他外部接続のＡＶ機器などから映像データを取り込んで、画面に表示可能なデジタルテレビなどのＡＶ装置に関する。
【背景技術】
【０００２】
近年、大画面で高精細な薄型テレビ装置が増大してきており、従来より多くの情報を大画面上に一度に美しく表示できるようになってきた。また、各種通信規格の外部接続端子やインターネット通信機能等の様々な拡張機能が追加され、活用の幅も非常に多岐に渡っている。例えば、デジタルカメラや携帯電話などの各種撮影機器や、ＳＤカードやメモリースティックなどの各種メモリーカードと接続することで、それらに保存されている撮影データなどを取り込み、大画面上に撮影画像などを実サイズで多数表示することができる。テレビの画面は、前述した通り、大画面で高精細なものが増大しているため、膨大な撮影画像などを一覧表示するのに非常に適しており、このような機能を活用する利用者は多数存在すると思われる。【０００３】
このように、近年のデジタルテレビなどのＡＶ装置は、大画面で高精細などの特徴を活かし様々な用途で活用されることが期待されている。しかし、デジタルテレビでは従来のアナログテレビと異なり画像用デジタルデータのエンコード、デコード処理等が必要のため前記のような拡張機能を多数付与すると、デジタルテレビなどのＡＶ装置が要するデータ記憶容量が必然と増大すると同時に、その表示処理時間も長くかかり見たい画像の表示が遅くなるという問題が生じる。そこで、デジタルテレビなどのＡＶ装置の記憶容量に過度の負担をかけずに、また、表示処理のための遅延時間を増大することなく利用者が求める新しい機能を付与することが求められる。【０００４】
前記要求を満たす手段としては、デジタルテレビなどのＡＶ装置に新しい機能を付与する際、その機能を実現するために必須のソフトなどをすべて新たにＡＶ装置に付与するのでなく、既にＡＶ装置に他の機能を実現するために付与されているソフトなどを利用し、新たな機能を実現するような手段が考えられる。これにより、ＡＶ装置の記憶容量に過度の負担をかけず、新しい機能を付与することが可能となる。このような手段を実現する発明としては、例えば、特許文献１のような発明がなされている。特許文献１の発明は、近年のデジタルテレビには必ず付されているといっても過言ではない、「電子番組表を画面に表示する機能」を利用し、外部機器から取り込んだ撮影画像などを一覧にして画面に表示するものである。電子番組表を画面に表示する手段としては、一般的には、デジタルテレビなどのＡＶ装置が、あらかじめその内部メモリに「番組表の枠を作成する手段」や、「その枠の縦横軸に「時間」「チャンネル」などを割り当てる手段」などのソフトを有しており、これらのソフトに従って作成した枠内に、ネットワークインターフェイスなどを介して取得した「番組表のコンテンツ」をあてはめて画面に表示している（図１）。特許文献１の発明は、番組表を表示するために作成される「枠」を利用し、当該枠内に、外部メモリなどから取り込んだ写真や、そのサムネイル画像などを表示して鑑賞するものである。これにより、「写真やサムネイル画像などの一覧をＡＶ装置の画面に表示する機能」を、新たにそれ専用の枠を作成せずに実現することができるようになる。
【特許文献１】特開２００７−１７４２６７号公報
【発明の開示】
【発明が解決しようとする課題】
【０００５】
しかしながら、特許文献１の発明は、撮影画像のサムネイルを既存の枠にはめ込んで、画面に表示する手段が開示されているのみであり、画像の撮影日時や撮影機種などの属性情報を表示する手段は開示されていない。しかし、画像の属性情報などは画像を把握するのに非常に有益な情報である。よって、画像をＡＶ装置に表示し、それらを容易に把握して鑑賞するためには、撮影画像と共にそれらの属性情報を一覧表示する機能をＡＶ装置に付与することが望まれる。【０００６】
そこで、本発明では、ＡＶ装置に記憶容量などの面で過度の負担をかけずに、外部メモリなどから取り込んだ画像を容易に把握できるように画面上に一覧表示するＡＶ装置を提供することを課題とする。
【課題を解決するための手段】
【０００７】
上記課題を解決するための手段として、あらかじめＡＶ装置に保存されている番組表用のセルを利用して、外部メモリなどから取り込んだ画像を容易に把握できるように一覧表示する手段を提供する。または、ＡＶ装置に、映像ビューア用ソフトを組み込んで、容易に画像を把握できるように表示する機能を付与し、かつ、その映像ビューア用ソフトの機能を利用して、電子番組表を画面に表示する手段を提供する。これにより、現在、一般的にＡＶ装置に組み込まれている「電子番組表の枠を作成し表示する手段」などは不要になり、ＡＶ装置から取りはずすことが可能となる。その結果、ＡＶ装置の容量の負担を和らげることができる。【０００８】
具体的には、以下の発明を提供する。【０００９】
第一発明では、電子番組表用の行列型のセルを生成するための情報である番組表セル生成情報を保持する番組表セル生成情報保持部と、映像情報を取り込むための映像情報取込部と、取り込んだ映像情報を番組表セル生成情報を利用して表示する表示部とを有するＡＶ装置を提供する。【００１０】
第二発明では、第一発明を基本とし、さらに、取り込んだ映像情報がＥｘｉｆファイル形式の情報か判断する判断部を有し、表示部は、判断結果がＥｘｉｆファイル形式であるとの判断結果である場合にはその映像情報に含まれている静止画と、その静止画に関する属性情報とを同じ行又は列のセルに配置して表示するＥｘｉｆ配置表示手段を有するＡＶ装置を提供する。【００１１】
第三発明では、第二発明を基本とし、さらに、表示部は、Ｅｘｉｆファイルに含まれている属性に応じて静止画と、その静止画に関する属性情報とをＥｘｉｆ配置表示手段に配置させる配置制御手段を有するＡＶ装置を提供する。【００１２】
第四発明では、第二発明または第三発明を基本とし、さらに、Ｅｘｉｆファイルに代えて動画ファイルとするＡＶ装置を提供する。【００１３】
第五発明では、第一発明から第四発明のいずれか一に記載の発明を基本とし、さらに、番組表セルのスクロールを制御するためのスクロール制御部と、映像を含むセルのスクロールの入力を受付けるスクロール受付部とを有し、スクロール制御部は、スクロール受付部にて受付けられる映像を含むセルのスクロールの入力にも基づいて映像を含むセルのスクロールを制御するＡＶ装置を提供する。【００１４】
第六発明では、第二発明を基本とし、さらに、表示部は、判断結果がＥｘｉｆファイル形式であるとの判断結果である場合にはその映像情報に含まれているサムネイルをセルに配置して表示するサムネイル表示手段を有するＡＶ装置を提供する。【００１５】
第七発明では、映像ビューア用の行列型のセルを生成するための情報である映像ビューア用セル生成情報を保持する映像ビューア用セル生成情報保持部と、ＥＰＧの番組情報を取得する番組情報取得部と、取得した番組情報を映像ビューア用セル生成情報を利用して表示する表示部とを有するＡＶ装置を提供する。【００１６】
第八発明では、第七発明を基本とし、さらに、カラー写真表示用色データを保持する色データ保持部を有し、映像ビューア用セル生成情報は、各セルにて色データ保持部に保持されているカラー写真表示用色データを利用可能に構成されているＡＶ装置を提供する。【００１７】
第九発明では、電子番組表用の行列型のセルを生成するための情報である番組表セル生成情報を保持するＡＶ装置の制御方法であって、外部映像機器と接続して映像情報を取り込むための映像情報取込ステップと、取り込んだ映像情報を番組表セル生成情報を利用して表示する表示ステップとを有するＡＶ装置の制御方法を提供する。【００１８】
第十発明では、第九発明のＡＶ装置の制御方法を基本とし、さらに、取り込んだ映像情報がＥｘｉｆファイル形式の情報か判断する判断ステップを有し、表示ステップでは、判断結果がＥｘｉｆファイル形式であるとの判断結果である場合にはその映像情報に含まれている静止画と、その静止画に関する属性情報とを同じ行又は列のセルに配置して表示するＥｘｉｆ配置表示サブステップを有するＡＶ装置の制御方法を提供する。【００１９】
第十一発明では、第十発明のＡＶ装置の制御方法を基本とし、さらに、表示ステップは、Ｅｘｉｆファイルに含まれている属性に応じて静止画と、その静止画に関する属性情報とをＥｘｉｆ配置表示サブステップで配置させる配置制御サブステップを有するＡＶ装置の制御方法を提供する。【００２０】
第十二発明では、第十発明又は第十一発明のＡＶ装置の制御方法を基本とし、さらに、Ｅｘｉｆファイルに代えて動画ファイルとするＡＶ装置の制御方法を提供する。【００２１】
第十三発明では、第九発明から第十二発明のいずれか一に記載のＡＶ装置の制御方法を基本とし、さらに、番組表セルのスクロールを制御するためのスクロール制御ステップと、映像を含むセルのスクロールの入力を受付けるスクロール受付ステップとを有し、スクロール制御ステップは、スクロール受付ステップにて受付けられる映像を含むセルのスクロールの入力にも基づいて映像を含むセルのスクロールを制御するＡＶ装置の制御方法を提供する。【００２２】
第十四発明では、第十発明のＡＶ装置の制御方法を基本とし、さらに、表示ステップは、判断結果がＥｘｉｆファイル形式であるとの判断結果である場合にはその映像情報に含まれているサムネイルをセルに配置して表示するサムネイル表示サブステップを有するＡＶ装置の制御方法を提供する。【００２３】
第十五発明では、映像ビューア用の行列型のセルを生成するための情報である映像ビューア用セル生成情報を保持するＡＶ装置の制御方法であって、ＥＰＧの番組情報を取得する番組情報取得ステップと、取得した番組情報を映像ビューア用セル生成情報を利用して表示する表示ステップとを有するＡＶ装置の制御方法を提供する。【００２４】
第十六発明では、カラー写真表示用色データを保持する第十五発明のＡＶ装置の制御方法であって、映像ビューア用セル生成情報は、各セルにて保持されているカラー写真表示用色データを利用可能に構成されているＡＶ装置の制御方法を提供する。
【発明の効果】
【００２５】
本発明のＡＶ装置により、ＡＶ装置に容量などの面で過度の負担をかけずに、外部メモリなどから取り込んだ画像をＡＶ装置の画面に表示しながら、整理、編集などをすることができる。【００２６】
また、ＡＶ装置に、映像ビューア用ソフトを組み込んで、外部メモリなどから取り込んだ画像の整理、編集を実現した場合には、利用者は、当該ソフトを利用して、電子番組表を容易に整理、編集できるようになり、従来と異なる新たな方法で電子番組表を活用できるようになる。
【発明を実施するための最良の形態】
【００２７】
以下本発明を実施するための最良の形態について、図面を用いて詳細に説明する。なお、本発明はこれら実施の形態になんら限定されるものではなく、その要旨を逸脱しない範囲において種々なる態様で実施しうる。
なお、以下の実施形態と請求項の関係は次のとおりである。実施形態１は主として請求項１、９などについて説明する。実施形態２は主として請求項２、３、１０、１１などについて説明する。実施形態３は主として請求項４、１２などについて説明する。実施形態４は主として請求項５、１３などについて説明する。実施形態５は、主として請求項６、１４などについて説明する。実施形態６は、主として請求項７、１５などについて説明する。実施形態７は、主として請求項８、１６などについて説明する。
＜＜実施形態１＞＞
＜実施形態１の概要＞【００２８】
本実施形態のＡＶ装置は、あらかじめＡＶ装置に組み込まれている「電子番組表を表示するための行列型のセル」に、外部より取り込んだ映像情報を組み込んで表示する。そして、当該セルに組み込んで表示された映像情報を、容易に把握できるようにする機能を有することを特徴とする。【００２９】
近年のデジタルテレビなどのＡＶ装置は、大画面で高精細であるため、デジタルカメラなどを用いて撮影した画像を表示し、それらを容易に把握するのに適している。しかし、前記機能を実現するために、ＡＶ装置に「画像を把握しやすく表示するための行列型のセル」「表示した画像を整理する様々な機能」などをすべて新たに内蔵すると、容量などの面でＡＶ装置に大きな負担となる。そこで、本実施形態のＡＶ装置は、撮影画像を整理しやすく一覧表示するための「画像を表示するための行列型のセル」として、あらかじめＡＶ装置に組み込まれている「電子番組表を表示するための行列型のセル」を利用して一覧表示する。そして、「表示した画像を整理する機能」などその他の必要な機能のみを新たに付与するだけで、撮影した画像を画面に一覧表示し、それらを容易に把握する機能を実現する。【００３０】
これにより、ＡＶ装置にデータ記憶容量などの面で過度の負担をかけずに、デジタルカメラなどを用いて撮影した画像を整理しやすく画面に表示し、それらを容易に把握することができる。
＜実施形態１の機能的構成＞【００３１】
図２は、本実施形態の放送受信装置の機能ブロックの一例を表す図である。この図にあるように本実施例の「ＡＶ装置」（０２００）は、「番組表セル生成情報保持部」（０２０１）と、「映像情報取込部」（０２０２）と、「表示部」（０２０３）を有する。【００３２】
なお、以下に記載する本装置の機能ブロックは、ハードウェア、ソフトウェア、またはハードウェア及びソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。【００３３】
またこれらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記憶媒体に固定した記憶媒体も、当然にこの発明の技術的な範囲に含まれる（本明細書の全体を通じて同様である）。【００３４】
以下、本実施形態の「ＡＶ装置」（０２００）、「番組表セル生成情報保持部」（０２０１）、「映像情報取込部」（０２０２）、「表示部」（０２０３）の機能について説明する。【００３５】
本実施形態の「ＡＶ装置」（０２００）は、ネットワークインターフェイスや、デジタルチューナなどを介して、番組表などの情報を取り込むことが可能なＡＶ装置で、例えば、デジタルテレビなどが該当する。【００３６】
「番組表セル生成情報保持部」（０２０１）は、電子番組表用のセルを生成するための情報である「番組表セル生成情報」を保持するよう構成されている。「電子番組表用のセル」とは、ＡＶ装置の画面上に番組内容を表示するためのセルである。番組内容とは、「番組名」や「出演者」「あらすじ」など、番組の内容を利用者に伝えるための情報である。これらのセルが、画面上で、時間軸やチャンネル軸に従って縦横規則正しく行列型に配列され、電子番組表が形成される。生成されるセルの形状としては、特段制限されないが、縦横規則正しく配列するためには、長方形であることが望ましい。また、生成されるセルの大きさは、番組の放送時間にあわせて個別に変更できてもよいし、全てのセルの大きさを等しくできてもよい。
「番組表セル生成情報」とは、前記セルを必要な数量生成し、必要に応じてそれぞれのセルの大きさを変更して、それらのセルを一定のルールに従い縦横規則正しく配列させ、画面上に電子番組表の枠を生成するための情報である。前記情報により生成される電子番組表の枠は、縦横共にいくつのセルが配列されていてもよい。例えば、番組表を表示する画面内容が、「地上波専用番組表」なら、地上波のチャンネル数に応じてセルを配列してもよい。また、「地上波、衛星放送番組表」なら、そのチャンネル数に応じて大量のセルを配列してもよい。【００３７】
「映像情報取込部」（０２０２）は、映像情報を取り込むよう構成されている。「映像情報」とは、静止画や動画のコンテンツそのもののほか、「そのコンテンツを撮影した日時」や、「そのコンテンツの容量」、「撮影した場所」、「音声コンテンツ」など、取り込んだ映像コンテンツに付記されているあらゆる情報（以下、「コンテンツ外属性情報」という。）をも含む概念である。映像情報取込部（０２０２）が映像情報を取り込む手段としては特段制限されず、例えば、ＳＤカードやメモリースティックなどの外部メモリをＡＶ装置にセットし、その外部メモリに保存されている映像情報を取り込むよう構成されていてもよい。または、デジタルカメラや撮影機能付き携帯電話などの撮影機器をＡＶ装置にセットし、その撮影機器の内部メモリなどに保存されている映像情報を取り込むよう構成されていてもよい。さらには、既にＡＶ装置の内部メモリに保存されている映像情報を取り込むよう構成されていてもよい。【００３８】
「表示部」（０２０３）は、映像情報取込部（０２０２）が取り込んだ映像情報を、番組表セル生成情報を利用してＡＶ装置の画面上に表示するよう構成されている。取り込んだ映像情報を、把握しやすく画面上に表示するためには、表などを利用して、規則正しく一覧表示することが望ましい。しかし、前記のような表などの枠を生成する機能を新たに付与することは、ＡＶ装置にとって容量などの面で負担である。そこで、本実施形態のＡＶ装置は、番組表セル生成情報を利用して、「画面上に映像情報を把握しやすいように規則正しく一覧表示することを実現したものである。すなわち、本実施形態のＡＶ装置（０２００）の表示部（０２０３）は、「番組表セル生成情報を利用して」、ＡＶ装置の画面上にセルを縦横規則正しく配列した枠を表示し、そのセル内に、取り込んだ映像情報を組み込んで表示するよう構成されている。【００３９】
なお、表示部（０２０３）が、映像情報をセル内に、把握しやすく表示する手段としては特段制限されず、あらゆる手段が考えられる。例えば、映像情報の中から映像コンテンツを取り出し、それを縮小加工してサムネイル画像を作成し、セルを配列した枠内の一つのセルに一つのサムネイル画像を表示して、サムネイル画像を一覧表示してもよい（図３）。この時、一つのサムネイル画像を選択し「決定」ボタンを押下すると、選択された画像のみが画面に大きく表示され（以下、「全画面表示」という。図３）、その画像をもう一度選択して「決定」ボタンを押下すると、その画像のコンテンツ外属性情報が表示されるように構成されてもよい（図４）。また、図５に示すように、サムネイル画像を一覧表示している画面で、メニュー画面を呼び出して「色調調整メニュー」を選択し、そして、一つのサムネイル画像を選択して「決定」ボタンを押下すると、その画像の彩度などを調整した複数の画像が一覧表示されるよう構成されてもよい。そして、一つの画像を選択し「決定」ボタンを押下すると、設定がその色調に変更され、その色調で全画面表示されてもよい。【００４０】
その他の手段としては、図６に示すように、「コンテンツ外属性情報」の内、利用者が映像を整理、編集する際によく利用する情報、例えば、「撮影日時」、「撮影機種」、「サイズ」、「焦点距離」などの項目を、枠の縦軸、又は横軸にあてはめ、もう一方の軸に一列にサムネイル画像を一覧表示し、それぞれの画像のコンテンツ外属性情報を、該当するセル内に記述して、コンテンツとコンテンツ外属性情報を一覧表示してもよい。この時、一方の軸にあてはめられる「コンテンツ外属性情報」の項目は、利用者が選択できるよう構成されていてもよい。また、項目の表示順も、利用者が選択、変更できるよう構成されていてもよい。変更する手段としては、例えば図７に示すように、利用者は一つの項目を選択し、その軸を挿入する順番を選択し決定することで、各項目の表示順を変更できてもよい。【００４１】
さらに他の手段として、図８に示すように、利用者が「コンテンツ外属性情報」の表示項目を選択し、「決定」ボタンを押下すると、その項目の内容に着目して、複数の映像情報の順番が並び替えられるよう構成されていてもよい。例えば、「撮影日時」の項目を選択し、当該内容に着目して並び替えるように操作すると、図のように撮影日時の古い順に上から並び替えられる。また、図９に示すように、一つの項目に着目して、同じ属性ごとに複数のサムネイル画像を配列できるよう構成されていてもよい。例えば、「撮影日時」の項目を選択して同じ内容ごとにサムネイル画像を配列するよう操作すると、図のように同じ撮影日時のサムネイル画像が一列に配列され、大量の画像を把握する際、非常に便利である。また、画像を保存している利用者が複数人いて、その利用者がそれぞれ自己の撮影機種で撮影していた場合、「撮影機種」の項目を選択して、撮影機種ごとに画像を一列に配列することで、自分の撮影した画像を一列に配列することができ、画像を容易に把握するのに非常に便利である。【００４２】
さらにその他の手段として、図１０に示すように、「コンテンツ外属性情報」の一つの内容を選択し、その内容に該当する映像情報のみを一覧表示できるよう構成されていてもよい。例えば、画像を保存している利用者が複数人いて、その利用者がそれぞれ自己の撮影機種で撮影していた場合、利用者は、「撮影機種」の項目のうち、自己の撮影機種（例えば、「Ｍ・・・・」）に該当する映像情報のみに限定して、画面に一覧表示できてもよい（図１０）。この時、限定する項目内容を複数選択できても良い。例えば、図１１に示すように、「撮影機種」の項目で自己の撮影した映像情報のみを画面に一覧表示している利用者が、さらに、その映像情報の中から、「撮影日時」の項目で映像情報を限定して画面に一覧表示できてもよい。【００４３】
さらに、表示するコンテンツ外属性情報の項目が複数ある場合で各項目の情報量が異なる場合などは、各セルの大きさを調整し、セル内情報を見やすい大きさで表示できるように構成されていてもよい。【００４４】
これらの機能により、利用者は、大量の画像の中から、取捨選択して、その時必要な画像のみを画面に一覧表示し、容易に把握することができる。【００４５】
＜実施形態１のハードウェア構成＞【００４６】
図１３は、上記機能的構成をハードウェアとして実現した際の構成の一例を表す図である。図に示すように、本ＡＶ装置は、「番組表セル生成情報保持部」、「映像情報取込部」「表示部」などを構成する「CPU」（１３０１）、「ＲＡＭ」（１３０２）、「ＲＯＭ」（１３０３）
「ＦＬＡＳＨメモリ」（１３０４）、「受光部」（１３０５）、「操作部」（１３０６）、「通信部」（１３０７）、「記憶処理部」（１３０８）、「外部接続部」（１３０９）、「ＯＳＤ表示部」（１３１０）、「ビデオエンコーダ」（１３１１）、「チューナ部」（１３１２）などを備えている。【００４７】
以下に、図１３のハードウェアで本実施形態を実現する手段の一例を説明する。【００４８】
まず、利用者がリモコン（１３１３）又はＡＶ装置に備え付けられた操作ボタン（図示しない）を押下して映像情報を画面に表示するよう操作すると、例えばリモコン（１３１３）から送信された光信号を受光部（１３０５）で受信するか、または、操作部（１３０６）を経由して、ＣＰＵ（１３０１）が当該操作情報を取得する。すると、ＣＰＵ（１３０１）は、当該情報に従い、ＲＯＭ（１３０３）または、ＦＬＡＳＨメモリ（１３０４）または、外部接続部（１３０９）に接続されたデジタルカメラなどの外部機器から、映像情報を取得し、番組情報用データベースに記録する。そして、番組表セル生成情報をＲＯＭ（１３０３）より取り出し、それに従い、番組表セルを画面上に表示すると共に、番組情報用データベースに記録されている映像情報を取り出して、画面上のセル内に表示する。【００４９】
その後、利用者がリモコン（１３１３）又はＡＶ装置に備え付けられたボタンを押下して、映像情報の配列順を変更するなどの操作をすると、受光部（１３０５）または、操作部（１３０６）を経由して、ＣＰＵ（１３０１）が当該情報を取得し、ＲＯＭ（１３０３）より、当該処理を実行するプログラムを取り出して、それに従い所定の処理を行う。
＜実施形態１の処理の流れ＞【００５０】
本実施形態の処理の流れの一例を図１４のフローチャートに示す。【００５１】
まず、利用者がリモコンなどを操作して、電子番組表の行列型のセルを生成するための情報である番組表セル生成情報を保持しているＡＶ装置を操作し、映像情報を画面上に表示するよう指示する。【００５２】
まず、ＡＶ装置は、自身の内部メモリ、または、接続されたＦＬＡＳＨメモリや外部機器などから映像情報を取り込む（Ｓ１４０１：映像情報取込ステップ）。【００５３】
そして、番組表セル生成情報を利用して、論理セル情報を生成する（Ｓ１４０２：表示ステップ）。【００５４】
次に、生成した論理セルの中で、画面上で表示する表示領域を確定する（Ｓ１４０３：表示ステップ）。【００５５】
そして、確定した表示領域内のセルを画面上に表示するためのセル組立部品を選択する（Ｓ１４０４：表示ステップ）。【００５６】
その後、選択したセル組立部品をＶＲＡＭ上で配置する（Ｓ１４０５：表示ステップ）。【００５７】
そして、生成した論理セルに映像情報を割り当てる（Ｓ１４０６：表示ステップ）。【００５８】
次に、表示領域内の論理セルのＩＤをキーとして、ＶＲＡＭ上のセルへ映像情報を配置して画面上に表示する（Ｓ１４０７：表示ステップ）。
＜実施形態１の効果＞【００５９】
本実施形態のＡＶ装置により、ＡＶ装置に外部メモリ等から取得した各種情報を一覧表示する場合に、その一覧表示するための枠表を新たに作成する等の必要処理を追加することなく、またそのための特別なプログラム容量追加などで過度の負担をかけずに、静止画とその属性情報を一覧表示し、容易に一目で把握することが可能となる。
＜＜実施形態２＞＞
＜実施形態２の概要＞【００６０】
本実施形態のＡＶ装置は、実施形態１のＡＶ装置を基本とし、さらに、利用者が撮影した画像を整理などする際に、Ｅｘｉｆ情報を利用して容易に把握することが可能であることを特徴とする。近年、デジタルカメラや撮影機能付き携帯電話などで撮影された画像の大部分には、Ｅｘｉｆ情報が付され、利用者がそれを確認することができるようになっている。利用者が、Ｅｘｉｆ情報を利用する態様は様々であるが、例えば、撮影した画像を整理などするのに利用されるケースがある。Ｅｘｉｆ情報には、撮影した画像の、多様な属性情報（撮影日時、焦点距離、シャッタースピードなど）が記載されており、これらの情報を利用することで、容易に、かつ、効率的に撮影画像を把握し、整理することが可能となる。【００６１】
そこで、本実施形態のＡＶ装置は、撮影した画像を整理などする際に、容易に把握できるよう、撮影画像とともに、その画像に付されたＥｘｉｆ情報を画面上に一覧表示することを特徴とする。
＜実施形態２の機能的構成＞【００６２】
図１５に本実施形態における放送受信装置の機能ブロック図の一例を示す。本実施形態における「ＡＶ装置」（１５００）は、「番組表セル生成情報保持部」（１５０１）と、「映像情報取込部」（１５０２）と、「表示部」（１５０３）と、「判断部」（１５０４）を有し、「表示部」（１５０３）は、「Ｅｘｉｆ配置表示手段」を有する。また、「表示部」（１５０３）は、「配置制御手段」を有していてもよい。【００６３】
「番組表セル生成情報保持部」（１５０１）と、「映像情報取込部」（１５０２）の機能的構成については、実施形態１と同様であるので、ここでの詳細な説明は省略する。以下、「表示部」（１５０３）と、「判断部」（１５０４）の機能について説明する。【００６４】
「判断部」（１５０４）は、映像情報取込部（１５０２）で取り込んだ映像情報がＥｘｉｆファイル形式の情報か判断するよう構成されている。ここで、「Ｅｘｉｆファイル形式の情報」とは、「Ｅｘｉｆ規格」にて規定されている項目に関する属性情報を規定に従い記載した情報である。また、「Ｅｘｉｆ規格」とは、画像ファイルや音声ファイルに関し、デジタルカメラやその周辺機器において、データの互換性、交換性を確保し、多くのユーザが利用しやすい環境を作ることを目的として規定された規格である。「Ｅｘｉｆファイル形式で記載されたＥｘｉｆ情報」の項目としては、「撮影した機種のメーカー名」「撮影した機種」「レンズの焦点距離」「色空間情報」「撮影日時」など多岐に渡っている。【００６５】
判断部（１５０４）が、取り込んだ映像情報がＥｘｉｆファイル形式の情報か否かを判断する手段としては特段制限されず、例えば、ファイルの先頭部分に記載されたヘッダ情報から、Ｅｘｉｆの識別コードを読み取って判断しても良い。【００６６】
「表示部」（１５０３）は、実施形態１で説明した構成を基本とし、さらに、映像情報取込部（１５０２）で取り込んだ映像情報が「Ｅｘｉｆファイルである」と前記判断部（１５０４）で判断した場合、その映像情報に含まれている静止画と、その静止画に関する属性情報とを同じ行又は列のセルに配置して表示する「Ｅｘｉｆ配置表示手段」を有するよう構成されている。【００６７】
「映像情報に含まれている静止画」とは、撮影した画像そのものである。また、「静止画に関する属性情報」とは、Ｅｘｉｆ情報として、撮影した画像に付された様々な項目に関する情報であり、例えば、「撮影した機種のメーカー名」「撮影した機種」「幅の解像度」「高さの解像度」「撮影日時」「色空間情報」などの撮影した静止画に関するあらゆる情報である。表示部（１５０３）は、静止画とその静止画に関する属性情報を、「Ｅｘｉｆ配置表示手段」により、同じ行、または、同じ列に一列に配置して表示するよう構成されている（図１２）。表示する手段としては、例えば、表示部（１５０３）は、図１２のように、静止画を左端の列に一覧表示し、一番上の行にＥｘｉｆ情報の属性情報に関する項目を一列に配列する。そして、左端に表示された静止画に関する属性情報を、一番上の行に配列された「Ｅｘｉｆ情報の属性情報に関する項目」に対応するように、一列に配置して表示する。【００６８】
なお、静止画像を一番上の行に一覧表示し、左端の列にＥｘｉｆ情報の属性情報に関する項目を配列してもよい。利用者は、前記いずれの形式で表示するか選択できるよう構成されていてもよい。【００６９】
ここで、撮影した画像に付されるＥｘｉｆ情報の項目は大量にある。表示部（１５０３）は、図１６に示すように、これらすべての項目の属性情報を一覧表示し、画面をスクロール移動することですべての属性情報を見ることができるよう構成されていてもよい。しかし、大量の属性情報が画面に一度に表示されると利用者は、その内容を把握するのに時間が掛かり、混乱を生じる可能性がある。そこで、表示部（１５０３）は、図１７に示すように、「Ｅｘｉｆ配置表示手段」により、大量の属性情報から取捨選択して、必要な属性情報のみを配列して表示するよう構成されていてもよい。「大量の属性情報から必要な属性情報のみを取捨選択する方法」としては特段制限されず、例えば、表示部（１５０３）は、あらかじめ大量の属性情報の内、一般的に利用者がよく利用する属性情報の項目（例えば、「撮影日時」「撮影機種」など）を所定の数量のみ記憶しておき、その情報に基づいて属性情報の項目を配列し表示するよう構成されていてもよい。そして、配列された属性情報の項目に従って、静止画の属性情報をセル内に表示するよう構成されていてもよい。なお、利用者が、表示する属性情報の項目、及び、表示する項目の数を、自由に設定、変更できるよう構成されていてもよい。【００７０】
このようにして、撮影した静止画と、利用者が真に希望するＥｘｉｆ情報の属性情報のみを画面に表示することで、画面上の表示はシンプルになり、利用者は容易にそれらを把握し、効率的に整理などする事が可能となる。【００７１】
「表示部」（１５０３）は、「配置制御手段」により、Ｅｘｉｆファイルに含まれている属性に応じて、静止画とその静止画に関する属性情報とを把握しやすいように配置し、「Ｅｘｉｆ配置表示手段」により、それを画面上に表示するよう構成されていてもよい。利用者は、画面上に一覧表示された静止画の属性情報を利用して、その静止画の特徴を把握する。そして、複数の属性情報の内、ある属性情報に着目して、同じ属性ごとに静止画をグループ化するなどして、複数の静止画を整理すると考えられる。例えば、「撮影日時」の属性情報を利用して、同じ日時に撮影された静止画を一つのグループとして整理する場合が考えられる。または、「撮影機種」の属性情報を利用して、同じ機種で撮影された静止画を一つのグループとして整理する場合なども考えられる。本実施形態の表示部（１５０３）は、かかる場合に、「配置制御手段」を用いて、「Ｅｘｉｆ配置表示手段」により画面上に表示している静止画とその属性情報の配置などを変更し、利用者が整理などしやすいように表示するよう構成されている。【００７２】
例えば、「表示部」（１５０３）の「Ｅｘｉｆ配置表示手段」により、静止画とその属性情報が図４（上）のように表示されていたとする。図４（上）の状態は、各静止画の「ファイル名」に着目し、アルファベット順、または、番号順に上から配列されている状態である。かかる状態で、利用者が「並び替え」のメニューを選択して、「撮影日時」の項目のセルを選択し「決定」ボタンを押下すると、図４（下）のように、静止画とその属性情報は、「撮影日時」の古いものから順に上から配列され表示されてもよい。また、図９に示すように、「撮影日時」の項目のセルを選択し「決定」ボタンを押下すると、「撮影日時」の項目が左端の列に表示され、同じ撮影日時の静止画が、同じ行に一列に表示されてもよい。【００７３】
その他の「Ｅｘｉｆ配置表示手段」としては、例えば、図１８に示すように、利用者が「限定一覧表示」のメニューを選択して、一つの属性情報（例えば、「撮影日時」の「２００６年７月７日」）を選択し「決定」ボタンを押下すると、選択した属性情報に該当する映像情報のみが画面上に一覧表示されてもよい。さらに、図１８の状態から、他の属性情報を選択決定することで、画面上に表示する映像情報をさらに絞り込めるよう構成されていてもよい。【００７４】
なお、表示部（１５０３）は、画面上で、属性情報を他の表示に変更できるよう構成されていてもよい。例えば、図１９に示すように、属性情報の「撮影機種」を、その「撮影機種の利用者」（例えば、父、母、兄、姉など）に変更表示できてもよい。このような機能により、利用者は、画面上の表示を見れば、容易にその内容を把握することが可能になる。【００７５】
このような「Ｅｘｉｆ配置表示手段」により、利用者は、静止画などを、容易に把握することができる。
＜実施形態２のハードウェア構成＞【００７６】
以下、図１３を用いて、本実施形態を実現する手段の一例を説明する。【００７７】
まず、利用者がリモコン（１３１３）又はＡＶ装置に備え付けられたボタンを押下して映像情報を画面上に表示するよう操作すると、受光部（１３０５）または、操作部（１３０６）を経由して、ＣＰＵ（１３０１）が当該情報を取得する。すると、ＣＰＵ（１３０１）は、当該情報に従い、ＲＯＭ（１３０３）または、ＦＬＡＳＨメモリ（１３０４）または、外部接続部（１３０９）に接続されたデジタルカメラなどの外部機器から映像情報を取得し、番組情報用データベースに記録する。そして、番組表セル生成情報をＲＯＭ（１３０３）より取り出し、それに従い、番組表セルを画面上に表示すると共に、番組情報用データベースに記録されている映像情報を取り出して、それをＲＡＭ（１３０２）で解析する。解析の結果、映像情報がＥｘｉｆファイル形式の情報であった場合、ＲＯＭ（１３０３）より、「Ｅｘｉｆ配置表示手段」を実行するためのプログラムを取り出し、それに従い、映像情報を画面上のセル内に表示する。具体的には、例えば、ＲＯＭ（１３０３）より、「枠に表示する属性情報の項目」に関する情報を取り出し、当該項目を、枠内の一番上の行に、所定の順番で一列に配列して表示する。そして、取り出した映像情報に含まれる属性情報のうち、表示された項目に該当する属性情報のみを抽出して、画面上のセル内に表示する。【００７８】
その後、利用者がリモコン（１３１３）又はＡＶ装置に備え付けられたボタンを押下して、映像情報の配列順を変更するなどの操作をすると、受光部（１３０５）または、操作部（１３０６）を経由して、ＣＰＵ（１３０１）が当該情報を取得する。そして、取得した情報に従って、ＲＯＭ（１３０３）より、「配置制御手段」を実行するためのプログラムを取り出し、それに従い所定の処理を行う。すると、画面上に表示されたセルの配列が変更するなどする。
＜実施形態２の処理の流れ＞【００７９】
本実施形態の処理の流れの一例を図２０のフローチャートに示す。【００８０】
まず、利用者が電子番組表の行列型のセルを生成するための情報である番組表セル生成情報を保持しているＡＶ装置を操作し、映像情報を画面上に表示するよう指示する。【００８１】
すると、ＡＶ装置は、自身の内部メモリ、または、接続されたＦＬＡＳＨメモリや外部機器などから映像情報を取り込む（Ｓ２００１：映像情報取込ステップ）。【００８２】
そして、取り込んだ映像情報がＥｘｉｆファイル形式の情報か判断する（Ｓ２００２：判断ステップ）。【００８３】
前記判断ステップでの判断結果がＥｘｉｆファイル形式であるとの判断結果である場合、取り込んだ映像情報を番組表セル生成情報を利用して、映像情報に含まれている静止画と、その静止画に関する属性情報を同じ行または列のセルに配置して表示する（Ｓ２００３：表示ステップ：Ｅｘｉｆ配置表示サブステップ）【００８４】
その後、利用者の操作に応じ、Ｅｘｉｆファイルに含まれている属性に応じて、静止画とその静止画に関する属性情報とを整理などしやすい配列に変更して表示する（Ｓ２００４：表示ステップ：Ｅｘｉｆ配置表示サブステップ：配置制御サブステップ）。
＜実施形態２の効果＞【００８５】
本実施形態のＡＶ装置により、ＡＶ装置に容量面などで過度の負担をかけずに、静止画とそのＥｘｉｆ情報を一覧表示し、容易に把握することが可能となる。
＜＜実施形態３＞＞
＜実施形態３の概要＞【００８６】
本実施形態のＡＶ装置は、実施形態２又は３のＡＶ装置を基本とし、さらに、取り込んだ映像情報が、動画ファイルか否かを判断し、動画ファイルである場合には、その映像情報に含まれる動画と動画に関する属性情報を同じ行または列のセルに配置して表示することを特徴とする。【００８７】
現在、撮影された動画には、様々な属性情報が付与されており、例えば、様々な形式の音声・映像情報のコンテンツ内容を記述するための標準規格である「ＭＰＥＧ−７」が付与されたりする。【００８８】
本実施形態のＡＶ装置は、動画に付された「ＭＰＥＧ−７」のような属性情報を、撮影した動画とともに画面上で一覧表示することができる。これにより、動画の属性情報を動画の整理などに利用することができ、容易に、かつ、効率的に撮影画像を把握することが可能となる。
＜実施形態３の機能的構成＞【００８９】
図２１に本実施形態における放送受信装置の機能ブロック図の一例を示す。本実施形態における「ＡＶ装置」（２１００）は、「番組表セル生成情報保持部」（２１０１）と、「映像情報取込部」（２１０２）と、「表示部」（２1０３）と、「判断部」（２1０４）を有し、「表示部」（２１０３）は、「動画ファイル配置表示手段」を有する。また、「表示部」（２１０３）は、「配置制御手段」を有していてもよい。【００９０】
「番組表セル生成情報保持部」（２１０１）と、「映像情報取込部」（２１０２）の機能的構成については、実施形態１と同様であるので、ここでの詳細な説明は省略する。以下、「表示部」（２１０３）と、「判断部」（２１０４）の機能について説明する。【００９１】
「判断部」（２１０４）は、映像情報取込部（２１０２）で取り込んだ映像情報が動画ファイル形式の情報か判断するよう構成されている。ここで、「動画ファイル形式の情報」とは、動画コンテンツに関する情報を記述するための規定に従って記述された情報であり、例えば、「ＭＰＥＧ−７」の規定に従って記述された情報などがある。判断部（２１０４）が判断する動画ファイル形式は、「ＭＰＥＧ−７」に制限されず、動画に関するあらゆるファイル形式を判断できるよう構成されている。動画ファイル形式の情報に記述される項目としては、「動画コンテンツのタイトル」「動画コンテンツの制作者」「動画コンテンツの所要時間」など多岐に渡っている。【００９２】
判断部（２１０４）が、取り込んだ映像情報が動画ファイル形式の情報か否かを判断する手段としては特段制限されない。例えば、「ＭＰＥＧ−７」形式の映像情報が付与されていた場合、ファイルの先頭部分に記載されたタグ情報から、「ＭＰＥＧ−７」のファイル形式の情報である旨を読み取っても良い。【００９３】
「表示部」（２１０３）は、実施形態１または２で説明した構成を基本とし、さらに、映像情報取込部（２１０２）で取り込んだ映像情報が「動画ファイル形式である」と前記判断部（２１０４）で判断した場合、その映像情報に含まれている動画と、その動画に関する属性情報とを同じ行又は列のセルに配置して表示する「動画ファイル配置表示手段」を有するよう構成されている。【００９４】
「その映像情報に含まれている動画をセルに表示する」とは、動画の最初のシーンにおける静止画を所定のセルに表示することである。この時、表示部（２１０３）は、利用者がセル内に表示された静止画を選択して「決定」ボタンを押下すると、全画面表示で動画を再生するよう構成されていてもよい。【００９５】
また、表示部（２１０３）は、実施形態１で説明した構成を基本とし、さらに、映像情報取込部（２１０２）で取り込んだ映像情報が「動画ファイルである」と前記判断部（２１０４）で判断した場合、その映像情報に含まれている静止画（動画の一場面）と、動画に関する属性情報とを同じ行又は列のセルに配置して表示する「動画ファイル配置表示手段」を有するよう構成されている。詳細は、実施形態２の表示部において、「Ｅｘｉｆファイルの属性情報」を、「動画ファイルの属性情報」に置き換えて実現されるのと同様であるので、ここでの説明は省略する。
＜実施形態３のハードウェア構成＞【００９６】
以下、図１３を用いて、本実施形態を実現する手段の一例を説明する。【００９７】
まず、利用者がリモコン（１３１３）又はＡＶ装置に備え付けられたボタンを押下して映像情報を画面に表示するよう操作すると、受光部（１３０５）または、操作部（１３０６）を経由して、ＣＰＵ（１３０１）が当該情報を取得する。すると、ＣＰＵ（１３０１）は、当該情報に従い、ＲＯＭ（１３０３）または、ＦＬＡＳＨメモリ（１３０４）または、外部接続部（１３０９）に接続されたデジタルカメラなどの外部機器から映像情報を取得し、番組情報用データベースに記録する。そして、番組表セル生成情報をＲＯＭ（１３０３）より取り出し、それに従い、番組表セルを画面上に表示すると共に、番組情報用データベースに記録されている映像情報を取り出して、それをＲＡＭ（１３０２）で解析する。解析の結果、映像情報が動画ファイル形式の情報であった場合、ＲＯＭ（１３０３）より、「動画ファイル配置表示手段」を実行するためのプログラムを取り出し、それに従い、映像情報を画面上のセル内に表示する。具体的には、例えば、ＲＯＭ（１３０３）より、「枠に表示する属性情報の項目」に関する情報を取り出し、当該項目を、枠内の一番上の行に、所定の順番で一列に配列して表示する。そして、取り出した映像情報に含まれる属性情報のうち、表示された項目に該当する属性情報のみを抽出して、画面上のセル内に表示する。
＜実施形態３の処理の流れ＞【００９８】
本実施形態の処理の流れの一例を図２２のフローチャートに示す。【００９９】
まず、利用者が電子番組表の行列型のセルを生成するための情報である番組表セル生成情報を保持しているＡＶ装置を操作し、映像情報を画面上に表示するよう指示する。【０１００】
すると、ＡＶ装置は、自身の内部メモリ、または、接続されたＦＬＡＳＨメモリや外部機器などから映像情報を取り込む（Ｓ２２０１：映像情報取込ステップ）。【０１０１】
そして、取り込んだ映像情報が動画ファイル形式の情報か判断する（Ｓ２２０２：判断ステップ）。【０１０２】
前記判断ステップでの判断結果が動画ファイル形式であるとの判断結果である場合、取り込んだ映像情報を番組表セル生成情報を利用して、映像情報に含まれている静止画とその静止画に関する属性情報を同じ行または列のセルに配置して表示する（Ｓ２２０３：表示ステップ：動画ファイル配置表示サブステップ）。
＜実施形態３の効果＞【０１０３】
本実施形態のＡＶ装置により、ＡＶ装置に容量面などで過度の負担をかけずに、動画像とその属性情報を一覧表示し、容易にそれらを把握することが可能となる。
＜＜実施形態４＞＞
＜実施形態４の概要＞【０１０４】
本実施形態のＡＶ装置は、画面上に表示された電子番組表をスクロールするための機能を利用して、画面上に一覧表示された映像情報をスクロールすることを特徴とする。【０１０５】
電子番組表で表示される情報は多量であるため、ＡＶ装置の画面で限定される一つの画面上ですべての情報を表示することは困難である。よって、一般的には、電子番組表を表示する機能には、画面をスクロールする機能が付与され、利用者は画面をスクロールすることで、希望する情報を画面上に表示し、内容を把握することができる。【０１０６】
画面上に映像情報を表示する場合においても同様に、保存している映像コンテンツが多量である場合や、また、一覧表示する属性情報の項目を多く設定している場合などは、画面上に表示される映像情報は多量になり、ＡＶ装置の画面で限定される一つの画面上ですべての情報を表示することは困難である。そこで、画面上に映像情報を表示する機能においても、画面をスクロールして、利用者が希望する情報を画面上に表示し、内容を確認することができるようにすることが望まれる。しかし、画面上に一覧表示した映像情報をスクロールする機能を、新たに付与することは、ＡＶ装置にとって容量などの面で負担となる。【０１０７】
そこで、本実施形態のＡＶ装置は、画面上に表示された電子番組表をスクロールするための機能を利用して、画面上に一覧表示された映像情報をスクロールすることができるように構成したものである。
＜実施形態４の機能的構成＞【０１０８】
図２３に本実施形態における放送受信装置の機能ブロック図の一例を示す。本実施形態における「ＡＶ装置」（２３００）は、「番組表セル生成情報保持部」（２３０１）と、「映像情報取込部」（２３０２）と、「表示部」（２３０３）と、「判断部」（２３０４）と、「スクロール制御部」（２３０５）と、「スクロール受付部」（２３０６）とを有する。【０１０９】
「番組表セル生成情報保持部」（２３０１）と、「映像情報取込部」（２３０２）と、「表示部」（２３０３）と、「判断部」（２３０４）の機能的構成については、実施形態１などと同様であるので、ここでの詳細な説明は省略する。以下、「スクロール制御部」（２３０５）と、「スクロール受付部」（２３０６）の機能について説明する。【０１１０】
「スクロール受付部」（２３０６）は、映像を含むセルのスクロールの入力を受付けるよう構成されている。「映像を含むセル」とは、映像情報を表示しているセルであり、これらのセルを画面上に規則正しく縦横に配列して、映像情報を把握しやすいように一覧表示している。画面上に、セルを用いて映像情報を一覧表示する場合、保存している映像コンテンツが多量である場合や、また、一覧表示する属性情報の項目を多く設定している場合などは、画面上に表示される映像情報が多量になり、ＡＶ装置の画面で限定される範囲内で、すべての映像情報を一度に表示することは困難である。そこで、本実施形態のＡＶ装置（２３００）は、画面上で映像情報を表示した複数のセルをスクロールして、希望する映像情報を画面上に表示し、内容を確認することができるよう構成されている。利用者は、画面に表示された映像情報を含むセルをスクロールしようとする際、ＡＶ装置（２３００）に付された操作ボタンやリモコンなどを用いてスクロールするよう入力する。スクロール受付部（２３０６）は、利用者がリモコンなどを用いて操作した、映像情報を含むセルのスクロールの入力を受付けるよう構成されている。【０１１１】
「スクロール制御部」（２３０５）は、番組表セルのスクロールを制御するよう構成されている。【０１１２】
「番組表セル」とは、画面上で番組表の内容を表示したセルである。当該セルが縦横に規則正しく配列され、画面上で電子番組表が生成される。このようにして生成された番組表は、情報量が多量であり、ＡＶ装置の画面の大きさで限定される範囲内で、すべての情報を一度に表示することは困難である。そこで、一般的なＡＶ装置は、番組表の内容を表示したセルからなる電子番組表をスクロールして、希望する情報を画面上に表示し、内容を確認することができるよう構成されている。本実施形態のＡＶ装置（２３００）も同様に、複数のセルからなる電子番組表をスクロール可能であり、ＡＶ装置（２３００）の「スクロール制御部」（２３０５）が、番組表セルのスクロールを制御するよう構成されている。すなわち、スクロール制御部（２３０５）は、利用者がリモコンなどを用いて電子番組表のセルを上下左右にスクロールするよう入力すると、それに従い、画面に表示された電子番組表のセルを、上下左右にスクロールするよう構成されている。【０１１３】
さらに、「スクロール制御部」（２３０５）は、前記スクロール受付部（２３０６）にて受付けられた「映像を含むセルのスクロールの入力」にも基づいて、映像を含むセルのスクロールを制御するよう構成されている。すなわち、スクロール制御部（２３０５）は、利用者のリモコンなどを用いて行う操作に従い、「番組表の内容を表示したセル」のみでなく、「映像情報を表示したセル」をも、上下左右にスクロールできるよう構成されている。【０１１４】
なお、スクロール制御部（２３０５）は、そもそも、画面上で「番組表の内容を表示したセル」のスクロールを制御するために構成されたものである。本実施形態のＡＶ装置（２３００）は、当該スクロール制御部（２３０５）が、「映像情報を含むセル」のスクロールをも制御するように構成することで、ＡＶ装置（２３００）に、余分な機能を付与せず、容量などの面で負担をかけないで、画面上に表示された映像情報をスクロールする機能を実現している。【０１１５】
スクロール制御部（２３０５）が制御するスクロールの態様としては特段制限されない。例えば、スクロール制御部（２３０５）は、縦横ともに、一つのセルの縦横の幅に相当する間隔でスクロールするよう構成されていてもよい。または、縦横ともに、ＡＶ装置（２３００）の画面の縦横の幅に相当する間隔でスクロールするよう構成されていてもよい。または、縦横ともに、利用者が入力した間隔に従ってスクロールするよう構成されていてもよい。
＜実施形態４のハードウェア構成＞【０１１６】
以下、図１３を用いて、本実施形態を実現する手段の一例を説明する。【０１１７】
まず、利用者がリモコン（１３１３）又はＡＶ装置に備え付けられたボタンを押下して、画面上に表示された映像を含むセルをスクロールするよう入力する。すると、ＣＰＵ（１３０１）は受光部（１３０５）または、操作部（１３０６）を経由して、前記入力に関する情報を取得し、ＲＡＭ（１３０２）で、取得した情報を解析する。そして、解析結果が「画面上に表示された映像を含むセルをスクロールする命令」だった場合、ＲＯＭ（１３０３）より、番組表セルをスクロールするためのプログラムを取り出す。そして、取り出したプログラムに所定の処理を行い、プログラムを実行する。ここで、所定の処理の例としては、前記「番組表セルをスクロールするためのプログラム」が、セルを縦横に配列した番組表の枠と、セル内に表示される番組の内容に関する情報それぞれを別々に認識し、それらを同期してスクロールするものだったとする。かかる場合、プログラム中の「枠と同期させる情報の識別情報」を、「番組の内容に関する識別情報」から、「映像情報に関する識別情報」に変更するなどする。
＜実施形態４の処理の流れ＞【０１１８】
本実施形態の処理の流れの一例を図２４のフローチャートに示す。【０１１９】
まず、利用者が、リモコンなどを使用して、ＡＶ装置の画面上に表示された「映像を含むセル」をスクロールするよう入力する。【０１２０】
すると、ＡＶ装置は、「映像を含むセル」のスクロールの入力命令を１スクロール単位で受付ける（Ｓ２４０１：スクロール受付ステップ）。【０１２１】
すると、スクロール命令に応じて、論理セル中の表示領域を１スクロール単位分移動する（Ｓ２４０２：スクロール制御ステップ）。【０１２２】
そして、変更後の表示領域に新たに含まれることとなった論理セルに利用するセル組立部品を選択する（Ｓ２４０３：スクロール制御ステップ）。【０１２３】
次に、既に選択されていたセル組立部品と新たに選択されたセル組立部品を利用して、ＶＲＡＭ上にセルを再配置する（Ｓ２４０４：スクロール制御ステップ）。【０１２４】
そして、変更後の表示領域内の論理セルＩＤをキーとして、ＶＲＡＭ上のセルへ映像情報を配置する（Ｓ２４０５：スクロール制御ステップ）。【０１２５】
その後、必要に応じて、更にスクロール命令を受付ける。
＜実施形態４の効果＞【０１２６】
本実施形態のＡＶ装置は、あらかじめ組み込まれている電子番組表をスクロールする機能を利用して、一覧表示された映像情報をもスクロールすることができる。これにより、ＡＶ装置に容量などの面で負担をかけずに、画面に表示した映像情報を整理などしやすくする機能を付与することができる。
＜＜実施形態５＞＞
＜実施形態５の概要＞【０１２７】
本実施形態のＡＶ装置は、取り込んだＥｘｉｆファイル形式の映像情報の中にサムネイル画像が埋め込まれている場合には、そのサムネイル画像を、属性情報とともに画面上に一覧表示することを特徴とする。【０１２８】
撮影した静止画が多数ある場合、それらをサムネイル画像で一覧表示することで、多数の静止画の全体像を容易に把握することができる。サムネイル画像を画面上に表示する手段としては、（Ａ）原画像をその都度縮小処理して画面上に表示する手段や、（Ｂ）あらかじめサムネイル画像用の縮小処理した画像を用意しておき、それを表示する手段などが考えられる。【０１２９】
前記（Ａ）手段の場合は、サムネイル画像を保持していないので、後記（Ｂ）手段より、メモリの容量の面などではメリットを有するが、サムネイル画像を表示する処理としては、その都度、原画像からサムネイル画像を生成して表示しなければならず、処理速度の面ではデメリットを有する。一方、後記（Ｂ）手段の場合は、サムネイル画像を表示する処理は、あらかじめ保持しているサムネイル画像を取り出して表示するだけなので、処理速度の面では、前記処理よりメリットを有するが、多数のサムネイル画像を保存しなければならず、メモリの容量負担の面でデメリットを有する。【０１３０】
そこで本実施形態のＡＶ装置は、取り込んだＥｘｉｆ情報にすでにサムネイル画像が埋め込まれている場合には、そのサムネイル画像を属性情報とともに画面上に一覧表示する。これにより、静止画の属性情報をサムネイル画像とともに一覧表示する際に、その都度原画像を取り出して縮小処理し、それを一覧表示するという手間を省くことができ、迅速な処理が可能となる。
＜実施形態５の機能的構成＞【０１３１】
図２５に本実施形態における放送受信装置の機能ブロック図の一例を示す。本実施形態における「ＡＶ装置」（２５００）は、「番組表セル生成情報保持部」（２５０１）と、「映像情報取込部」（２５０２）と、「表示部」（２５０３）と、「判断部」（２５０４）を有し、「表示部」（２５０３）は、「Ｅｘｉｆ配置表示手段」と「サムネイル表示手段」を有する。【０１３２】
「番組表セル生成情報保持部」（２５０１）と、「映像情報取込部」（２５０２）と、「判断部」（２５０４）の機能的構成については、実施形態１などと同様であるので、ここでの詳細な説明は省略する。以下、「表示部」（２５０３）の機能について説明する。【０１３３】
「表示部」（２５０３）は、映像情報取込部（２５０２）で取り込んだ映像情報に対する、判断部（２５０４）での判断結果が「Ｅｘｉｆファイル形式である」との判断結果である場合には、その映像情報に含まれているサムネイルをセルに配置して表示するサムネイル表示手段を有するよう構成されている。Ｅｘｉｆファイル形式の映像情報とは、実施形態２で説明した通り、その静止画に関する多数の属性情報の記述であるが、その中には、サムネイル画像が埋め込まれている場合もある。【０１３４】
本実施形態のＡＶ装置（２５００）の表示部（２５０３）は、撮影した静止画を利用者が整理などしやすいように、取り込んだ映像情報のサムネイル画像と属性情報を、電子番組表のセルを利用して画面上に一覧表示することができるよう構成されている。サムネイル画像を表示する手段としては、映像情報の中から原画像を取り出して、それを縮小処理することでサムネイル画像を生成し表示する手段が考えられる。しかし、かかる場合、ファイルサイズの大きい原画像を取り出して処理を行うため、画面上に一覧表示するのに多少の時間を要してしまう。本実施形態の表示部（２５０３）は、Ｅｘｉｆ情報の中に、サムネイル画像が含まれている場合には、そのサムネイル画像をセルに配置して表示する「サムネイル表示手段」を有するよう構成されている。【０１３５】
これにより、取り込んだ映像情報にサムネイル画像が含まれている場合には、映像情報の中からＥｘｉｆ情報のみを取り出し表示すればよいこととなる。すなわち、ファイルサイズの大きい原画像を取り出して縮小処理などを行う必要がないので、大きなタイムロスなく、取り込んだ映像情報のサムネイル画像と属性情報を、画面上に一覧表示することができる。【０１３６】
なお、Ｅｘｉｆ情報の中にサムネイル画像が含まれていない場合は、原画像を取り出してサムネイル画像を生成しそれを表示してもよいし、または、サムネイル画像を表示するセルを空欄にするよう構成されていてもよい。【０１３７】
＜実施形態５のハードウェア構成＞【０１３８】
以下、図１３を用いて、本実施形態を実現する手段の一例を説明する。【０１３９】
まず、利用者がリモコン（１３１３）又はＡＶ装置に備え付けられたボタンを押下して映像情報を画面に表示するよう操作すると、受光部（１３０５）または、操作部（１３０６）を経由して、ＣＰＵ（１３０１）が当該情報を取得する。すると、ＣＰＵ（１３０１）は、当該情報に従い、ＲＯＭ（１３０３）または、ＦＬＡＳＨメモリ（１３０４）または、外部接続部（１３０９）に接続されたデジタルカメラなどの外部機器から映像情報を取得し、番組情報用データベースに記録する。そして、番組表セル生成情報をＲＯＭ（１３０３）より取り出し、それに従い、番組表セルを画面上に表示すると共に、番組情報用データベースに記録されている映像情報を取り出して、それをＲＡＭ（１３０２）で解析する。解析の結果、映像情報がＥｘｉｆファイル形式の情報であった場合、当該情報の中からサムネイル画像を抽出する。そして、ＲＯＭ（１３０３）より、「サムネイル表示手段」を実行するためのプログラムを取り出し、それに従い、Ｅｘｉｆ情報より抽出したサムネイル画像を画面上のセル内に表示する。また、ＲＯＭ（１３０３）より、「Ｅｘｉｆ配置表示手段」を実行するためのプログラムを取り出し、それに従い、映像情報を画面上のセル内に表示する。
＜実施形態５の処理の流れ＞【０１４０】
本実施形態の処理の流れの一例を図２６のフローチャートに示す。【０１４１】
まず、利用者が電子番組表の行列型のセルを生成するための情報である番組表セル生成情報を保持しているＡＶ装置を操作し、映像情報を画面上に表示するよう指示する。【０１４２】
すると、ＡＶ装置は、自身の内部メモリ、または、接続されたＦＬＡＳＨメモリや外部機器などから映像情報を取り込む（Ｓ２６０１：映像情報取込ステップ）。【０１４３】
そして、取り込んだ映像情報がＥｘｉｆファイル形式の情報か判断する（Ｓ２６０２：判断ステップ）。【０１４４】
前記判断ステップでの判断結果がＥｘｉｆファイル形式であるとの判断結果である場合、Ｅｘｉｆ情報の中からサムネイル画像を抽出し、それを番組表セル生成情報を利用して、セルに配置して表示する（Ｓ２６０３：表示ステップ：サムネイル表示サブステップ）。【０１４５】
また、取り込んだ映像情報に含まれている静止画に関する属性情報を同じ行または列のセルに配置して表示する（Ｓ２６０４：表示ステップ：Ｅｘｉｆ配置表示サブステップ）
＜実施形態５の効果＞【０１４６】
本実施形態のＡＶ装置により、ＡＶ装置にデータ処理などで過度の負担をかけずに、映像情報を、整理、編集などしやすいように迅速に一覧表示することが可能となる。これにより、利用者は、効率的に撮影した静止画を整理などすることができる。
＜＜実施形態６＞＞
＜実施形態６の概要＞【０１４７】
本実施形態のＡＶ装置は、撮影した静止画を効率的に把握するための「映像ビューア」を搭載している。そして、映像ビューア用の行列型のセルを用いて、取得した電子番組情報を、画面上に番組表として表示できることを特徴とする。【０１４８】
近年のデジタルテレビなどのＡＶ装置は、大画面で高精細であるため、デジタルカメラなどを用いて撮影した画像を表示し、それらを容易に把握するのに適している。しかし、前記機能を実現するために、ＡＶ装置に「画像を把握しやすく表示するための行列型のセル」「表示した画像を整理する機能」などをすべて新たに内蔵すると、容量などの面でＡＶ装置に大きな負担となる。【０１４９】
そこで、本実施形態のＡＶ装置は、「画像を把握しやすく表示するための行列型のセル」「表示した画像を整理する機能」などの機能を有する「映像ビューア」を新たに搭載して、撮影画像を容易に把握できる機能を付与し、その代わりに、現在搭載されている機能のうち、映像ビューアの機能を利用して実現できるものは、映像ビューアの機能を利用してその機能を実現するよう構成し、不要になった機能をＡＶ装置から取り外したものである。【０１５０】
これにより、ＡＶ装置を用いて、撮影した静止画を映像ビューアを用いて効率的に把握することが可能となる一方、ＡＶ装置に容量などの面で大きな負担をかけることを回避することができる。
＜実施形態６の機能的構成＞【０１５１】
図２７に、本実施形態における放送受信装置の機能ブロック図の一例を示す。本実施形態における「ＡＶ装置」（２７００）は、「映像ビューア用セル生成情報保持部」（２７０７）と、「番組情報取得部」（２７０８）と、「表示部」（２７０３）を有する。以下、これらの機能について説明する。【０１５２】
「映像ビューア用セル生成情報保持部」（２７０１）は、映像ビューア用のセルを生成するための情報である映像ビューア用セル生成情報を保持するよう構成されている。「映像ビューア用セル」とは、ＡＶ装置の画面上に映像情報の静止画や属性情報を整理などしやすいように表示するためのセルである。これらのセルが、画面上で、利用者が映像情報を容易に把握し、整理などしやすいように、縦横規則正しく配列され、一覧表示される。生成されるセルの形状としては、特段制限されないが、縦横規則正しく配列するためには、長方形であることが望ましい。また、生成されるセルの大きさは、表示する属性情報の量などに応じて個別に変更できてもよいし、全てのセルの大きさを等しくできてもよい。【０１５３】
「映像ビューア用セル生成情報」とは、前記セルを必要な数量生成し、必要に応じてそれぞれのセルの大きさを変更して、それらのセルを一定のルールに従い縦横規則正しく配列させ、画面上に映像情報を一覧表示するための枠を生成するための情報である。前記情報により生成される枠は、縦横共にいくつのセルが配列されていてもよい。例えば、一覧表示する属性情報の項目の数に応じて配列するセルの数を変更できてもよい。【０１５４】
「番組情報取得部」（２７０８）は、ＥＰＧ（Ｅｌｅｃｔｒｏｎｉｃ  Ｐｒｏｇｒａｍ  Ｇｕｉｄｅ）の番組情報を取得するよう構成されている。「ＥＰＧの番組情報」とは、画面上に表示する番組表の内容（チャンネル、放送時間、内容、出演者など）を示す情報であり、ＡＶ装置（２７００）は、ＥＰＧの番組情報を取得し、それを自己があらかじめ保有している電子番組表の枠などにあてはめて、画面上に電子番組表を表示している。番組情報取得部（２７０８）が、ＥＰＧの番組情報を取得する手段としては特段制限されず、デジタルチューナより取得してもよいし、Ｗｅｂ上から取得してもよい。【０１５５】
「表示部」（２７０３）は、番組情報取得部（２７０８）が取得した番組情報を、映像ビューア用セル生成情報を利用してＡＶ装置の画面上に表示するよう構成されている。取り込んだ番組情報を不規則に羅列して画面上に表示すると、利用者はそれを把握しにくく不便である。よって、取り込んだ番組情報は、表などを利用して、規則正しく一覧表示することが望ましい。そこで、本実施形態のＡＶ装置は、ビューア用セル生成情報を利用して、ＡＶ装置の画面上に番組情報を把握しやすいように規則正しく一覧表示することを実現したものである。すなわち、本実施形態のＡＶ装置（２７００）の表示部（２７０３）は、「ビューア用セル生成情報を利用して」、ＡＶ装置の画面上にセルを縦横規則正しく配列した表を表示し、そのセル内に、取り込んだ番組情報を組み込んで表示するよう構成されている。【０１５６】
表示部（２７０３）の当該機能により、本実施形態のＡＶ装置（２７００）は、実施形態１のＡＶ装置などが有していた、番組情報を表示するための枠が不要になる。すなわち、「電子番組表用のセルを生成する手段」や「電子番組表用のセルを表示する手段」などの機能は不要なものとなる。そこで、本実施形態のＡＶ装置（２７００）は、これら不要な機能を保持しないことを特徴とする。これにより、本実施形態のＡＶ装置（２７００）は、容量面などの負担が軽減されている。【０１５７】
なお、映像ビューア用のセルを利用して画面上に表示された電子番組表は、映像ビューアに付された整理機能を利用して、利用者が把握しやすいように整理などすることができてもよい。【０１５８】
例えば、図２８に示すように、映像ビューアに一覧表示されたサムネイル画像の中からお気に入りの画像を選択し、それらを別枠に表示して整理することができる機能が付与されていたとする。この映像ビューア用のセルを利用して電子番組表を画面上に表示した場合、利用者は、図２９に示すように、電子番組表の中から視聴予定または録画予定の番組情報を選択して、それらを別枠に一覧表示することができてもよい。【０１５９】
その他の例としては、映像ビューアが、セルに撮影した動画像の一場面を静止画として一覧表示し、一つの静止画を選択して「決定」ボタンを押下すると、その動画像の再生を開始するような機能がついていたとする。この映像ビューア用のセルを利用して電子番組表を画面上に表示する場合、「ＥＰＧの番組情報」の中に動画での予告編が含まれていてもよい。かかる場合、セル内には番組の動画予告を案内する静止画が表示され、利用者がその静止画を選択して「決定」ボタンを押下すると、番組の動画予告の再生が開始される。この時の再生は、全画面表示で実行されてもよいし、または、利用者が画面サイズを選択できるように構成されていてもよい。【０１６０】
また、その他の例としては、映像ビューアを利用して、過去の番組表をも閲覧可能に構成していたとする。かかる場合で、ある番組を録画し、ＡＶ装置の内部メモリに保存している場合、過去の番組表の中から録画した番組の番組情報を表示しているセルを選択して「決定」ボタンを押下すると、録画した番組の再生を開始するよう構成されていてもよい。【０１６１】
このように、映像ビューア用のセルを利用して画面上に電子番組表を表示する場合、利用者は、電子番組表の内容を容易に効率的に把握などすることができ、電子番組表の利便性が向上する。【０１６２】
＜実施形態６のハードウェア構成＞【０１６３】
以下、図１３を用いて、本実施形態を実現する手段の一例を説明する。【０１６４】
まず、利用者がリモコン（１３１３）又はＡＶ装置に備え付けられたボタンを押下して電子番組表を画面に表示するよう操作すると、受光部（１３０５）または、操作部（１３０６）を経由して、ＣＰＵ（１３０１）が当該情報を取得する。すると、ＣＰＵ（１３０１）は、当該情報に従い、チューナ部（１３１２）、または、通信部（１３０７）を介して番組情報を取得する。そして、映像ビューア用セル生成情報をＲＯＭ（１３０３）より取り出し、それに従い、映像ビューア用セルを画面上に表示する。【０１６５】
次に、縦横に配列されたセルの縦軸又は横軸に、時間又はチャンネルの識別情報を付与する。そして、取得した番組情報に記載されている時間とチャンネルの識別情報を個別に識別し、それを、時間軸とチャンネル軸の識別情報に該当するセル内に表示する。
＜実施形態６の処理の流れ＞【０１６６】
本実施形態の処理の流れの一例を図３０のフローチャートに示す。【０１６７】
まず、利用者が映像ビューア用の行列型のセルを生成するための情報である映像ビューア用セル生成情報を保持しているＡＶ装置を操作し、電子番組表を画面上に表示するよう指示する。【０１６８】
すると、ＡＶ装置は、チューナ部または通信部を介して、ＥＰＧの番組情報を取得する（Ｓ３００１：番組情報取得ステップ）。【０１６９】
そして、取得した番組情報を映像ビューア用セル生成情報を利用して、画面上に表示する（Ｓ３００２：表示ステップ）。
＜実施形態６の効果＞【０１７０】
本実施形態のＡＶ装置により、ＡＶ装置に容量などの面で過度の負担をかけずに、映像情報を、把握しやすいように一覧表示することが可能となる。また、ＡＶ装置の画面上に表示する電子番組表を、利用者が把握しやすいように整理などすることができる。
＜＜実施形態７＞＞
＜実施形態７の概要＞【０１７１】
本実施形態のＡＶ装置は、実施形態６のＡＶ装置を基本とし、さらに、映像ビューア用セルに表示される映像情報や番組情報は、カラー写真を画面上に表示する際に使用される色データを利用して、フルカラー表示されることを特徴とする。【０１７２】
これにより、本実施形態のＡＶ装置の画面上に表示される電子番組表は、多彩な色で表示することが可能となり、利用者は、番組情報を把握しやすくなる。
＜実施形態７の機能的構成＞【０１７３】
図３１に、本実施形態における放送受信装置の機能ブロック図の一例を示す。本実施形態における「ＡＶ装置」（３１００）は、「映像ビューア用セル生成情報保持部」（３１０７）と、「番組情報取得部」（３１０８）と、「表示部」（３１０３）と、「色データ保持部」（３１０９）を有する。【０１７４】
「映像ビューア用セル生成情報保持部」（３１０７）と、「番組情報取得部」（３１０８）の機能的構成については、実施形態６などと同様であるので、ここでの詳細な説明は省略する。以下、「表示部」（３１０３）と、「色データ保持部」（３１０９）の機能について説明する。【０１７５】
「色データ保持部」（３１０９）は、カラー写真表示用色データを保持するよう構成されている。本実施形態のＡＶ装置（３１００）は、画面上で番組コンテンツや映像コンテンツを多彩な色で表示し、利用者はそれを鑑賞などして楽しむことができる。本実施形態のＡＶ装置（３１００）が、多彩な色を表示する手法としては特段制限されず、「ＲＧＢ」、「ＲＧＢＡ」、「ＹＣｂＣｒ」など、いずれの色空間を利用してもよい。「カラー写真表示用色データ」とは、前記のような色空間を用いて表現される色を細分化し、より多彩な色で表示するためのデータである。具体的には、「ＲＧＢ」の色空間を利用する場合は、「Ｒｅｄ」「Ｇｒｅｅｎ」「Ｂｌｕｅ」の３色を混ぜて色を表現するが、これら３色それぞれの強さを調整することで、多彩な色が表現可能である。現在では、それぞれの色を２５６段階の強さで調整し、最大で１６，７７７，２１６色の色を表現できる。「カラー写真表示用色データ」とは、ＡＶ装置の画面に表示する映像などの色を、最大で１６，７７７，２１６色で画面上に表示するためのデータである。【０１７６】
「ビューア用セル生成情報」は、各セルにてカラー写真表示用色データを利用可能に構成されている。すなわち、ビューア用セル生成情報は、各セルに表示される映像情報や番組情報などを、カラー写真表示用色データを利用してフルカラーで表示できるよう構成されている。【０１７７】
本実施形態のビューア用セル生成情報は、セルを生成し、それらを縦横規則正しく配列するための情報以外に、生成したセル内にコンテンツを表示するための定義を生成する情報をも含む。具体的には、セル内に表示するコンテンツの「セル内での位置」、「文字の大きさ」、「文字の書体」、「色表示手法」などを定義するよう構成されていてもよい。【０１７８】
すなわち、本実施形態のビューア用セル生成情報は、セル内に表示するコンテンツの「色表示手法」において、「カラー写真表示用色データを利用して表示する」ように定義できるよう構成されている。【０１７９】
すなわち、ビューア用セル生成情報を利用して、番組情報を画面上に表示する本実施形態の表示部（３１０３）は、ビューア用セル生成情報で生成される定義に従い、番組情報をもフルカラー表示できるよう構成されている。これにより、電子番組表が多彩な色で表現できるようになり、利用者は番組表の内容を容易に把握することが可能になる。【０１８０】
＜実施形態７のハードウェア構成＞【０１８１】
以下、図１３を用いて、本実施形態を実現する手段の一例を説明する。【０１８２】
まず、利用者がリモコン（１３１３）又はＡＶ装置に備え付けられたボタンを押下して電子番組表を画面に表示するよう操作すると、受光部（１３０５）または、操作部（１３０６）を経由して、ＣＰＵ（１３０１）が当該情報を取得する。すると、ＣＰＵ（１３０１）は、当該情報に従い、チューナ部（１３１２）、または、通信部（１３０７）を介して番組情報を取得する。そして、映像ビューア用セル生成情報をＲＯＭ（１３０３）より取り出し、それに従い、映像ビューア用セルを画面上に表示する。次に、縦横に配列されたセルの縦軸又は横軸に、時間又はチャンネルの識別情報を付与する。そして、取得した番組情報に記載されている時間とチャンネルの識別情報を個別に識別し、それを、時間軸とチャンネル軸の識別情報に該当するセル内に表示する。この時、映像ビューア用セル生成情報により生成されるセル内コンテンツの定義に従い、番組情報を表示される。例えば、コンテンツの色の表示方法において、カラー写真表示用色データを利用するよう定義されていた場合、ＣＰＵ（１３０１）は、カラー写真表示用色データを利用して、コンテンツを画面上でフルカラー表示する。
＜実施形態７の処理の流れ＞【０１８３】
本実施形態の処理の流れの一例を図３０のフローチャートに示す。【０１８４】
まず、利用者が映像ビューア用の行列型のセルを生成するための情報である映像ビューア用セル生成情報を保持しているＡＶ装置を操作し、電子番組表を画面上に表示するよう指示する。【０１８５】
すると、ＡＶ装置は、チューナ部または通信部を介して、ＥＰＧの番組情報を取得する（Ｓ３００１：番組情報取得ステップ）。【０１８６】
そして、取得した番組情報を、映像ビューア用セル生成情報を利用して、映像ビューア用セル生成情報で生成されるセル内コンテンツの定義に従い、画面上に表示する（Ｓ３００２：表示ステップ）。【０１８７】
この時、セル内コンテンツの定義において、カラー写真表示用色データを利用してコンテンツを表示するよう定義されていた場合、それに従い、コンテンツをフルカラー表示する。
＜実施形態７の効果＞【０１８８】
本実施形態のＡＶ装置により、ＡＶ装置に容量などの面で過度の負担をかけずに、映像情報を、把握しやすいように一覧表示することが可能となる。また、ＡＶ装置の画面上に表示する電子番組表をフルカラー表示することが可能であり、利用者が電子番組表の内容を把握しやすくなる。
【図面の簡単な説明】
【０１８９】
【図１】電子番組表を画面上に表示する手段の一例を示す概念図
【図２】実施形態１の機能ブロック図
【図３】実施形態１の効果を示す概念図１
【図４】実施形態１の効果を示す概念図２
【図５】実施形態１の効果を示す概念図３
【図６】実施形態１の効果を示す概念図４
【図７】実施形態１の効果を示す概念図５
【図８】実施形態１、２の効果を示す概念図１
【図９】実施形態１、２の効果を示す概念図２
【図１０】実施形態１の効果を示す概念図６
【図１１】実施形態１の効果を示す概念図７
【図１２】実施形態２の効果を示す概念図１
【図１３】ＡＶ装置のハードウエア構成の一例を示した図
【図１４】実施形態１の処理の流れを示すフローチャート
【図１５】実施形態２の機能ブロック図
【図１６】実施形態２の効果を示す概念図２
【図１７】実施形態２の効果を示す概念図３
【図１８】実施形態２の効果を示す概念図４
【図１９】実施形態２の効果を示す概念図５
【図２０】実施形態２の処理の流れを示すフローチャート
【図２１】実施形態３の機能ブロック図
【図２２】実施形態３の処理の流れを示すフローチャート
【図２３】実施形態４の機能ブロック図
【図２４】実施形態４の処理の流れを示すフローチャート
【図２５】実施形態５の機能ブロック図
【図２６】実施形態５の処理の流れを示すフローチャート
【図２７】実施形態６の機能ブロック図
【図２８】実施形態６の効果を示す概念図１
【図２９】実施形態６の効果を示す概念図２
【図３０】実施形態６、７の処理の流れを示すフローチャート
【図３１】実施形態７の機能ブロック図
【符号の説明】
【０１９０】
１３０１    ＣＰＵ
１３０２    ＲＡＭ
１３０３    ＲＯＭ
１３０４    ＦＬＡＳＨメモリ
１３０５    受光部
１３０６    操作部
１３０７    通信部
１３０８    記憶処理部
１３０９    外部接続部
１３１０    ＯＳＤ表示部
１３１１    ビデオエンコーダ部
【図１】
2009034941.tif 000003
【図２】
2009034941.tif 000004
【図３】
2009034941.tif 000005
【図４】
2009034941.tif 000006
【図５】
2009034941.tif 000007
【図６】
2009034941.tif 000008
【図７】
2009034941.tif 000009
【図８】
2009034941.tif 000010
【図９】
2009034941.tif 000011
【図１０】
2009034941.tif 000012
【図１１】
2009034941.tif 000013
【図１２】
2009034941.tif 000014
【図１３】
2009034941.tif 000015
【図１４】
2009034941.tif 000016
【図１５】
2009034941.tif 000017
【図１６】
2009034941.tif 000018
【図１７】
2009034941.tif 000019
【図１８】
2009034941.tif 000020
【図１９】
2009034941.tif 000021
【図２０】
2009034941.tif 000022
【図２１】
2009034941.tif 000023
【図２２】
2009034941.tif 000024
【図２３】
2009034941.tif 000025
【図２４】
2009034941.tif 000026
【図２５】
2009034941.tif 000027
【図２６】
2009034941.tif 000028
【図２７】
2009034941.tif 000029
【図２８】
2009034941.tif 000030
【図２９】
2009034941.tif 000031
【図３０】
2009034941.tif 000032
【図３１】
2009034941.tif 000033
【国際調査報告】
2009034941.tif 000034
2009034941.tif 000035
2009034941.tif 000036